(57)【要約】【課題】切り換え先の番組の画像を、迅速に表示する。【解決手段】チューナ制御部３１は、視聴番組のチャンネルのテレビジョン信号を選択している視聴用チューナ以外のチューナ（バックグラウンドチューナ）に、所定の放送方式で放送される複数のチャンネルのテレビジョン信号のすべてを時分割で選択させて出力させる。バックグラウンドチューナが出力するテレビジョン信号に含まれる番組の符号化データは、番組ごとに切り換え用バッファ部１８に一時記憶される。番組切り換えの操作が行われた場合、バッファ制御部３２は、切り換え先の番組の符号化データを、切り換え用バッファ部１８からデコード部１５に供給させ、デコード制御部３３は、切り換え用バッファ部１８からデコード部１５に供給される切り換え先の番組の符号化データを、デコード部１５にデコードさせる。本発明は、例えば、TVに適用できる。【選択図】図２
2009071470.tif 000002
【特許請求の範囲】
【請求項１】
複数のチャンネルのテレビジョン信号を含む信号を処理する信号処理装置において、
前記複数のチャンネルのテレビジョン信号を含む信号から、所定のチャンネルのテレビジョン信号を選択して出力する２以上のチャンネル選択手段と、
前記チャンネル選択手段が出力するテレビジョン信号に含まれる番組のデータをデコードし、画像データを出力するデコード手段と、
前記デコード手段が出力する画像データを、表示手段に表示させる表示制御手段と、
前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段に、前記複数のチャンネルのテレビジョン信号を時分割で選択させて出力させるチャンネル選択制御手段と、
前記バックグラウンドチャンネル選択手段が出力するテレビジョン信号に含まれる番組のデータを、番組ごとに記憶手段に一時記憶させるとともに、前記表示手段に画像データが表示される番組を、他の番組に切り換える番組切り換えの操作が行われた場合、前記他の番組のデータを、前記記憶手段から前記デコード手段に供給させる記憶制御手段と、
前記番組切り換えの操作が行われた場合、前記記憶手段から前記デコード手段に供給される前記他の番組のデータを、前記デコード手段にデコードさせるデコード制御手段と
を備える信号処理装置。
【請求項２】
前記番組のデータは、ピクチャの前記画像データを、イントラ符号化、又はインター符号化した符号化データであり、
前記記憶制御手段は、前記記憶手段に記憶された前記番組のデータの、前記デコード手段への供給を、イントラ符号化されたピクチャから開始する
請求項１に記載の信号処理装置。
【請求項３】
前記チャンネル選択制御手段は、前記複数のチャンネルのテレビジョン信号の時分割での受信を開始するときに、最初に、前記表示手段に表示される画像データを含むチャンネルのテレビジョン信号を選択しているチャンネル選択手段が選択しているテレビジョン信号のチャンネルに隣接するチャンネルのテレビジョン信号を、前記バックグラウンドチャンネル選択手段に選択させる
請求項１に記載の信号処理装置。
【請求項４】
前記表示制御手段は、さらに、前記記憶手段に記憶された２以上の番組のデータをデコードして得られる画像データを、前記表示手段にマルチ画面で表示させる
請求項１に記載の信号処理装置。
【請求項５】
前記番組のデータは、前記画像データの周波数成分を含み、
前記デコード手段は、前記記憶手段に記憶された２以上の番組のデータそれぞれの低周波数成分のみをデコードする
請求項４に記載の信号処理装置。
【請求項６】
前記チャンネル選択制御手段は、１チャンネルのテレビジョン信号を選択する期間を設定し、その期間ごとに、前記複数のチャンネルのテレビジョン信号のそれぞれを、前記バックグラウンドチャンネル選択手段に時分割で選択させる
請求項１に記載の信号処理装置。
【請求項７】
複数のチャンネルのテレビジョン信号を含む信号を処理する信号処理装置の信号処理方法において、
前記信号処理装置は、
前記複数のチャンネルのテレビジョン信号を含む信号から、所定のチャンネルのテレビジョン信号を選択して出力する２以上のチャンネル選択手段と、
前記チャンネル選択手段が出力するテレビジョン信号に含まれる番組のデータをデコードし、画像データを出力するデコード手段と、
前記デコード手段が出力する画像データを、表示手段に表示させる表示制御手段と
を備え、
前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段に、前記複数のチャンネルのテレビジョン信号を時分割で選択させて出力させ、
前記バックグラウンドチャンネル選択手段が出力するテレビジョン信号に含まれる番組のデータを、番組ごとに記憶手段に一時記憶させるとともに、前記表示手段に画像データが表示される番組を、他の番組に切り換える番組切り換えの操作が行われた場合、前記他の番組のデータを、前記記憶手段から前記デコード手段に供給させ、
前記番組切り換えの操作が行われた場合、前記記憶手段から前記デコード手段に供給される前記他の番組のデータを、前記デコード手段にデコードさせる
ステップを含む信号処理方法。
【請求項８】
複数のチャンネルのテレビジョン信号を含む信号を処理する信号処理装置を制御するコンピュータに実行させる制御プログラムにおいて、
前記信号処理装置は、
前記複数のチャンネルのテレビジョン信号を含む信号から、所定のチャンネルのテレビジョン信号を選択して出力する２以上のチャンネル選択手段と、
前記チャンネル選択手段が出力するテレビジョン信号に含まれる番組のデータをデコードし、画像データを出力するデコード手段と、
前記デコード手段が出力する画像データを、表示手段に表示させる表示制御手段と
を備え、
前記コンピュータを、
前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段に、前記複数のチャンネルのテレビジョン信号を時分割で選択させて出力させるチャンネル選択制御手段と、
前記バックグラウンドチャンネル選択手段が出力するテレビジョン信号に含まれる番組のデータを、番組ごとに記憶手段に一時記憶させるとともに、前記表示手段に画像データが表示される番組を、他の番組に切り換える番組切り換えの操作が行われた場合、前記他の番組のデータを、前記記憶手段から前記デコード手段に供給させる記憶制御手段と、
前記番組切り換えの操作が行われた場合、前記記憶手段から前記デコード手段に供給される前記他の番組のデータを、前記デコード手段にデコードさせるデコード制御手段と
して機能させるプログラム。
【発明の詳細な説明】
【技術分野】
【０００１】
本発明は、信号処理装置、信号処理方法、及び制御プログラムに関し、特に、例えば、ディスプレイ等の表示手段に表示される番組を、他の番組に切り換える番組切り換えの操作が行われた場合に、他の番組の画像が、迅速に表示されるようにする信号処理装置、信号処理方法、及び制御プログラムに関する。
【背景技術】
【０００２】
例えば、地上波ディジタル放送等のディジタル放送では、番組の画像データ（番組を構成する画像データ）が、MPEG(Moving Picture Experts Group)方式等の予測符号化方式で、符号化データに符号化され、所定の周波数帯域（以下、適宜、チャンネルという）のテレビジョン信号とされて送信される。
【０００３】
一方、テレビジョン放送を受信する受信側では、チューナにおいて、複数のチャンネルのテレビジョン信号を含む放送信号から、例えば、ユーザが指示した番組のデータを含むチャンネルのテレビジョン信号が選択され、そのテレビジョン信号に含まれる番組のデータとしての符号化データが、予測符号化方式でデコードされる。そして、そのデコードの結果得られる番組の画像データ（に対応する画像）が、ディスプレイに表示される。
【０００４】
なお、２個のチューナのうちの、一方のチューナで、視聴と録画を行う番組のデータを含むチャンネルのテレビジョン信号を選択するとともに、他方のチューナで、電子番組案内提供チャンネルのテレビジョン信号を選択することにより、番組の視聴と録画を行っていても、電子番組案内を確実に取得することができる記録再生装置が提案されている（例えば、特許文献１を参照）。
【０００５】
【特許文献１】特許第3712204号
【発明の開示】
【発明が解決しようとする課題】
【０００６】
ところで、予測符号化方式を代表するMPEG方式では、ピクチャ（フレーム、又はフィールド）が、イントラ符号化されるピクチャ（以下、適宜、イントラピクチャという）と、インター符号化されるピクチャ（以下、適宜、ノンイントラピクチャという）とに分けて符号化される。
【０００７】
ノンイントラピクチャは、デコードに、他のノンイントラピクチャ、又は、イントラピクチャを参照する必要があるため、符号化データのデコードにあたっては、まず、イントラピクチャをデコードする必要がある。
【０００８】
したがって、テレビジョン放送を受信する受信側では、ディスプレイに画像データが表示される番組を、他の番組に切り換える番組切り換えの操作が、ユーザによって行われた場合、他の番組のイントラピクチャの符号化データが送信されてくるのを待って、そのイントラピクチャからのデコードが開始される。
【０００９】
このため、番組切り換えの操作が行われた後、切り換え先の番組（他の番組）の画像データが表示されるまでに、時間を要することがあった。
【００１０】
本発明は、このような状況に鑑みてなされたものであり、番組切り換えの操作が行われた場合に、切り換え先の番組の画像が、迅速に表示されるようにするものである。
【課題を解決するための手段】
【００１１】
本発明の一側面の信号処理装置、又は制御プログラムは、複数のチャンネルのテレビジョン信号を含む信号を処理する信号処理装置、又は、信号処理装置を制御するコンピュータに実行させる制御プログラムであり、前記複数のチャンネルのテレビジョン信号を含む信号から、所定のチャンネルのテレビジョン信号を選択して出力する２以上のチャンネル選択手段と、前記チャンネル選択手段が出力するテレビジョン信号に含まれる番組のデータをデコードし、画像データを出力するデコード手段と、前記デコード手段が出力する画像データを、表示手段に表示させる表示制御手段と、前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段に、前記複数のチャンネルのテレビジョン信号を時分割で選択させて出力させるチャンネル選択制御手段と、前記バックグラウンドチャンネル選択手段が出力するテレビジョン信号に含まれる番組のデータを、番組ごとに記憶手段に一時記憶させるとともに、前記表示手段に画像データが表示される番組を、他の番組に切り換える番組切り換えの操作が行われた場合、前記他の番組のデータを、前記記憶手段から前記デコード手段に供給させる記憶制御手段と、前記番組切り換えの操作が行われた場合、前記記憶手段から前記デコード手段に供給される前記他の番組のデータを、前記デコード手段にデコードさせるデコード制御手段とを備える信号処理装置、又は、前記コンピュータを、前記チャンネル選択制御手段、記憶制御手段、及びデコード制御手段として機能させる制御プログラムである。
【００１２】
本発明の一側面の信号処理方法は、前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段に、前記複数のチャンネルのテレビジョン信号を時分割で選択させて出力させ、前記バックグラウンドチャンネル選択手段が出力するテレビジョン信号に含まれる番組のデータを、番組ごとに記憶手段に一時記憶させるとともに、前記表示手段に画像データが表示される番組を、他の番組に切り換える番組切り換えの操作が行われた場合、前記他の番組のデータを、前記記憶手段から前記デコード手段に供給させ、前記番組切り換えの操作が行われた場合、前記記憶手段から前記デコード手段に供給される前記他の番組のデータを、前記デコード手段にデコードさせるステップを含む。
【００１３】
本発明の一側面においては、前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段が、前記複数のチャンネルのテレビジョン信号を時分割で選択して出力する。さらに、前記バックグラウンドチャンネル選択手段が出力するテレビジョン信号に含まれる番組のデータが、番組ごとに記憶手段に一時記憶され、前記表示手段に画像データが表示される番組を、他の番組に切り換える番組切り換えの操作が行われた場合、前記他の番組のデータが、前記記憶手段から前記デコード手段に供給され、前記デコード手段が、前記記憶手段から前記デコード手段に供給される前記他の番組のデータをデコードする。
【００１４】
なお、信号処理装置は、独立した装置であっても良いし、１つの装置を構成している内部ブロックであっても良い。
【００１５】
また、制御プログラムは、伝送媒体を介して伝送することにより、又は、記録媒体に記録して、提供することができる。
【発明の効果】
【００１６】
本発明の一側面によれば、番組切り換えの操作が行われた場合に、切り換え先の番組の画像を、迅速に表示することができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。したがって、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の一側面の信号処理装置、又は、制御プログラムは、
複数のチャンネルのテレビジョン信号を含む信号を処理する信号処理装置（例えば、図１のTV）、又は、信号処理装置を制御するコンピュータ（例えば、図１の制御部２０）に実行させる制御プログラムであり、
前記複数のチャンネルのテレビジョン信号を含む信号から、所定のチャンネルのテレビジョン信号を選択して出力する２以上のチャンネル選択手段（例えば、図１のチューナ１１1ないし１１M）と、
前記チャンネル選択手段が出力するテレビジョン信号に含まれる番組のデータをデコードし、画像データを出力するデコード手段（例えば、図１のデコード部１５）と、
前記デコード手段が出力する画像データを、表示手段（例えば、図１の表示パネル１７）に表示させる表示制御手段（例えば、図１の表示制御部１６）と、
前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段に、前記複数のチャンネルのテレビジョン信号を時分割で選択させて出力させるチャンネル選択制御手段（例えば、図２のチューナ制御部３１）と、
前記バックグラウンドチャンネル選択手段が出力するテレビジョン信号に含まれる番組のデータを、番組ごとに記憶手段（例えば、図１の切り換え用バッファ１８1ないし１８N）に一時記憶させるとともに、前記表示手段に画像データが表示される番組を、他の番組に切り換える番組切り換えの操作が行われた場合、前記他の番組のデータを、前記記憶手段から前記デコード手段に供給させる記憶制御手段（例えば、図２のバッファ制御部３２）と、
前記番組切り換えの操作が行われた場合、前記記憶手段から前記デコード手段に供給される前記他の番組のデータを、前記デコード手段にデコードさせるデコード制御手段（例えば、図２のデコード制御部３３）と
を備える信号処理装置、又は、前記コンピュータを、前記チャンネル選択制御手段、記憶制御手段、及びデコード制御手段として機能させる制御プログラムである。
【００１９】
本発明の一側面の信号処理方法は、
複数のチャンネルのテレビジョン信号を含む信号を処理する信号処理装置（例えば、図１のTV）の信号処理方法であり、
前記信号処理装置は、
前記複数のチャンネルのテレビジョン信号を含む信号から、所定のチャンネルのテレビジョン信号を選択して出力する２以上のチャンネル選択手段（例えば、図１のチューナ１１1ないし１１M）と、
前記チャンネル選択手段が出力するテレビジョン信号に含まれる番組のデータをデコードし、画像データを出力するデコード手段（例えば、図１のデコード部１５）と、
前記デコード手段が出力する画像データを、表示手段に表示させる表示制御手段（例えば、図１の表示制御部１６）と
を備え、
前記表示手段に表示される画像データを含むチャンネルのテレビジョン信号を選択しているチャンネル選択手段以外のチャンネル選択手段を、バックグラウンドチャンネル選択手段として、前記バックグラウンドチャンネル選択手段に、前記複数のチャンネルのテレビジョン信号を時分割で選択させて出力させ（例えば、図６のステップＳ１３）、
前記バックグラウンドチャンネル選択手段が出力するテレビジョン信号に含まれる番組のデータを、番組ごとに記憶手段に一時記憶させるとともに（例えば、図７のステップＳ２２）、前記表示手段に画像データが表示される番組を、他の番組に切り換える番組切り換えの操作が行われた場合、前記他の番組のデータを、前記記憶手段から前記デコード手段に供給させ（例えば、図７のステップＳ２４）、
前記番組切り換えの操作が行われた場合、前記記憶手段から前記デコード手段に供給される前記他の番組のデータを、前記デコード手段にデコードさせる（例えば、図８のステップＳ４３）
ステップを含む。
【００２０】
以下、図面を参照して、本発明の実施の形態について説明する。
【００２１】
図１は、本発明を適用した信号処理装置としてのTV（テレビジョン受像機）の一実施の形態の構成例を示すブロック図である。
【００２２】
チューナ部１１は、複数としてのM個のチューナ１１1，１１2，・・・，１１Mを有し、そこには、例えば、地上ディジタル放送やBS(Broadcasting Satellite)ディジタル放送等の所定の放送方式の放送信号（RF(Radio Frequency)信号）が、図示せぬアンテナから供給される。
【００２３】
チューナ１１m(m=1,2,・・・,M)は、制御部２０の制御に従い、チューナ部１１に供給される所定の放送方式の放送信号から、所定のチャンネルのテレビジョン信号を選択（抽出）して出力する。チューナ１１mが出力する所定のチャンネルのテレビジョン信号は、復調部１２に供給される。
【００２４】
ここで、チューナ１１mが、放送信号から所定のチャンネルのテレビジョン信号を選択することを、以下、適宜、所定のチャンネルのテレビジョン信号を受信するともいう。
【００２５】
また、所定の放送方式でテレビジョン信号が放送されるチャンネルの総数を、チャンネル総数Cということとすると、チューナ部１１が有するチューナ１１1ないし１１Mの数Mは、チャンネル総数C＋１を超える数となる必要はない。
【００２６】
復調部１２は、チューナ部１１のチューナ１１1ないし１１Mそれぞれから供給されるMチャンネルのテレビジョン信号を復調し、誤り訂正部１３に供給する。
【００２７】
誤り訂正部１３は、復調部１２からの各チャンネルのテレビジョン信号に誤り訂正処理を施し、その結果得られるMチャンネルのテレビジョン信号としてのトランスポートストリームを、デマルチプレクサ部１４に供給する。
【００２８】
デマルチプレクサ部１４は、制御部２０の制御に従い、誤り訂正部１３からのMチャンネルそれぞれのトランスポートストリームから、番組の画像データや音声データが含まれるTS(Transport Stream)パケットを分離し、そのTSパケットから、番組の画像や音声のエレメンタリストリーム(ES)を構成して出力する。
【００２９】
ここで、１チャンネルのトランスポートストリームには、複数の番組（の画像及び音声）を含めることができるが、以下では、説明を簡単にするため、１チャンネルのトランスポートストリームには、１個の番組が含まれることとする。この場合、ある時刻に注目すると、デマルチプレクサ部１４では、Mチャンネルのトランスポートストリームそれぞれから、１個ずつの番組の（画像や音声の）エレメンタリストリームが得られるので、M個の番組のエレメンタリストリームが出力される。
【００３０】
デマルチプレクサ部１４が出力する音声のエレメンタリストリームのうちの、後述する視聴番組の音声のエレメンタリストリームは、図示せぬ音声用のデコーダに供給されてデコードされる。そして、そのデコードの結果得られる音声データは、図示せぬスピーカに供給され、スピーカから、対応する音声が出力される。
【００３１】
また、デマルチプレクサ部１４が出力する画像のエレメンタリストリームは、デコード部１５と切り換え用バッファ部１８に供給される。
【００３２】
すなわち、デマルチプレクサ部１４がある時刻に出力するM個の番組の画像のエレメンタリストリームのうちの、例えば、ユーザが操作部１９を操作することにより、視聴することを選択している１個の番組（以下、適宜、視聴番組という）の画像のエレメンタリストリームは、デコード部１５に供給される。
【００３３】
また、デマルチプレクサ部１４がある時刻に出力するM個の番組の画像のエレメンタリストリームのうちの、視聴番組以外の、M-1個の番組の画像のエレメンタリストリームは、切り換え用バッファ部１８に供給される。
【００３４】
デコード部１５には、デマルチプレクサ部１４と切り換え用バッファ部１８から、画像のエレメンタリストリームが供給されるようになっている。
【００３５】
デコード部１５は、制御部２０の制御に従い、デマルチプレクサ部１４、又は、切り換え用バッファ部１８から供給される画像のエレメンタリストリームを、例えば、MPEG方式でデコードし、その結果得られるピクチャの画像データを、表示制御部１６に供給する。
【００３６】
すなわち、各チャンネルのテレビジョン信号を送信する送信側では、番組の画像を構成するピクチャが、イントラピクチャと、ノンイントラピクチャとに分けられ、MPEG方式で符号化される。画像のエレメンタリストリームには、その符号化によって得られる符号化データが含まれており、デコード部１５は、その符号化データを、MPEG方式でデコードする。
【００３７】
なお、符号化データは、例えば、１５ピクチャ分で、GOP(Group Of  Picture)と呼ばれるグループを構成しており、GOPを構成する１５ピクチャには、少なくとも１つのイントラピクチャが含まれる。いま、GOPに注目すると、デコード部１５は、そのGOPを構成する１５ピクチャのうちの、最も表示時刻が早いイントラピクチャからデコードを開始する。
【００３８】
表示制御部１６は、デコード部１５からの画像データに対応する画像を、表示パネル１７に表示させる表示制御を行う。
【００３９】
すなわち、表示制御部１６は、表示用バッファ１６Ａを有し、制御部２０からの制御に従い、表示用バッファ１６Ａに、デコード部１５から供給される画像データの１ピクチャ分を順次書き込んで、その表示用バッファ１６Ａに書き込まれた画像データに対応する画像を、表示パネル１７に表示させる。
【００４０】
表示パネル１７は、例えば、液晶パネルや有機EL(Electro Luminescence)パネル等で構成され、表示制御部１６の制御に従い、表示制御部１６の表示用バッファ１６Ａに記憶された画像データに対応する画像を表示する。
【００４１】
切り換え用バッファ部１８は、複数であるN個の切り換え用バッファ１８1，１８2，・・・，１８Nを有し、制御部２０の制御に従い、デマルチプレクサ部１４がある時刻に出力するM個の番組の画像のエレメンタリストリームを、番組ごとに一時記憶する。また、切り換え用バッファ部１８は、制御部２０の制御に従い、記憶した画像のエレメンタリストリームのうちの、ある番組の画像のエレメンタリストリームを読み出し、デコード部１５に供給する。
【００４２】
すなわち、切り換え用バッファ１８n(n=1,2,・・・,N)は、デマルチプレクサ部１４が出力する番組の画像のエレメンタリストリームのうちの、ある番組の画像のエレメンタリストリームを記憶する。また、切り換え用バッファ１８nは、記憶したエレメンタリストリームを必要に応じて読み出し、デコード部１５に供給する。
【００４３】
ここで、所定の放送方式である時刻に放送され得る番組の数の最大値を、番組最大数Pということとすると、切り換え用バッファ部１８が有する切り換え用バッファ１８1ないし１８Nの数Nは、例えば、番組最大数Pに等しい。この場合、切り換え用バッファ部１８では、１つの番組に、１つの切り換え用バッファ１８nを割り当てる形で、所定の放送方式である時刻に放送される番組すべての画像のエレメンタリストリームを記憶することができる。
【００４４】
また、切り換え用バッファ１８nは、例えば、視聴番組を、ある番組proから他の番組pro'に切り換える番組切り換えの操作が行われた場合に、その後、他の番組pro'のイントラピクチャの符号化データを含むテレビジョン信号が送信されてきて表示されるまでに要する最大の時間に相当する分の符号化データを記憶することができる記憶容量を、少なくとも有している。
【００４５】
すなわち、例えば、いま、上述したように、GOPが１５ピクチャで構成され、また、その１５ピクチャのうちの１ピクチャがイントラピクチャで、他の１４ピクチャはノンイントラピクチャであるとする。この場合、ピクチャの周期を、例えば、1/30秒とすると、番組切り換えの操作が行われた後、他の番組pro'のイントラピクチャの符号化データを含むテレビジョン信号が送信されてきて表示されるまでに要する最大の時間は、0.5秒(=1/30秒×15ピクチャ)であるから、切り換え用バッファ１８nは、ピクチャを表示する表示時間で0.5秒に相当する分の符号化データを記憶することができる記憶容量を、少なくとも有している。
【００４６】
ここで、本実施の形態では、切り換え用バッファ１８nが、表示時間で、例えば、0.5秒ないし2.0秒程度に相当する分の符号化データを記憶することができる記憶容量を有していることとする。この場合、切り換え用バッファ１８nに、その記憶容量分の（連続した）符号化データが記憶されていれば、その符号化データには、１以上のイントラピクチャの符号化データが含まれる。
【００４７】
なお、切り換え用バッファ１８nは、デマルチプレクサ部１４から供給される（エレメンタリストリームに含まれる）符号化データを、順次記憶し、その記憶容量分だけ記憶すると、デマルチプレクサ部１４から供給される新たな符号化データを、最も古い符号化データに上書きする形で記憶していく。
【００４８】
操作部１９は、例えば、図１のTVの筐体に設けられた操作パネルや、TVを遠隔制御するためのリモートコマンダであり、例えば、視聴番組を切り換える場合や、音量を調節する場合、後述するマルチ表示を行う場合等に、ユーザによって操作される。そして、操作部１９は、ユーザの操作に対応した操作信号を、制御部２０に供給する。
【００４９】
制御部２０は、EEPROM(Electrically and Erasable Programmable Read Only Memory)２１，CPU(Central Processing Unit)２２、及びRAM(Random Access Memory)２３から構成され、操作部１９からの操作信号等に基づき、チューナ部１１、デマルチプレクサ部１４、デコード部１５、表示制御部１６、及び切り換え用バッファ部１８等のTVの各部を制御する。
【００５０】
すなわち、EEPROM２１は、CPU２２が実行するプログラムや、CPU２２が処理を行う上で必要なデータを記憶している。
【００５１】
CPU２２は、EEPROM２１に記憶されたプログラムを実行することで、TVの各部を制御する。
【００５２】
RAM２３は、CPU２３の動作上必要なデータ等を一時記憶する。
【００５３】
なお、CPU２２が実行するプログラムは、あらかじめ、EEPROM２１にインストールしておく他、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体に記録して提供し、EEPROM２１にインストールすることができる。
【００５４】
また、プログラムは、ディジタル放送やインターネット等のネットワークを介してダウンロードし、EEPROM２１にインストールすることができる。
【００５５】
ここで、以下では、説明を簡単にするために、チューナ部１１が有するチューナ１１1ないし１１Mの数Mを、例えば、２個とするとともに、切り換え用バッファ部１８が有する切り換え用バッファ１８1ないし１８Nの数Nを、例えば、６個として、図１のTVについて説明する。
【００５６】
すなわち、図２は、２個のチューナ１１1及び１１2、並びに、６個の切り換え用バッファ１８1ないし１８6を有する図１のTVの構成例を示している。
【００５７】
なお、図２では、図１の復調部１２、誤り訂正部１３、及びデマルチプレクサ部１４の図示は、省略してある。また、制御部２０は、図１のCPU２２がプログラムを実行することにより、チューナ制御部３１、バッファ制御部３２、デコード制御部３３、及びマルチ表示制御部３４として機能する。
【００５８】
ここで、チューナ部１１を構成するチューナ１１1及び１１2のうちの、表示パネル１７に表示される画像（データ）を含むチャンネルのテレビジョン信号を選択している（選択し続けている）方を、以下、適宜、視聴用チューナという。また、チューナ部１１を構成するチューナ１１1及び１１2のうちの、視聴用チューナ以外のチューナを、以下、適宜、バックグラウンドチューナという。
【００５９】
図２では、チューナ部１１は、２個のチューナ１１1及び１１2で構成されるため、その２個のチューナ１１1及び１１2のうちのいずれか一方が、視聴用チューナとなり、他方が、バックグラウンドチューナとなる。
【００６０】
TVでは、チューナ部１１を構成する２個のチューナ１１1及び１１2のうちの視聴用チューナが出力するテレビジョン信号に含まれる番組の符号化データ（エレメンタリストリーム）が、復調部１２、誤り訂正部１３、及びデマルチプレクサ部１４（図１）を介して、デコード部１５に供給される。また、チューナ部１１を構成する２個のチューナ１１1及び１１2のうちのバックグラウンドチューナが出力するテレビジョン信号に含まれる番組の符号化データが、復調部１２、誤り訂正部１３、及びデマルチプレクサ部１４を介して、切り換え用バッファ部１８に供給される。
【００６１】
すなわち、チューナ制御部３１は、チューナ部１１を制御することにより、視聴用チューナに、チューナ部１１に供給される放送信号に含まれる複数のチャンネルのテレビジョン信号のうちの、視聴番組のチャンネルのテレビジョン信号を選択させて出力させる。
【００６２】
さらに、チューナ制御部３１は、チューナ部１１を制御することにより、バックグラウンドチューナに、チューナ部１１に供給される放送信号に含まれる複数のチャンネルすべてのテレビジョン信号を時分割で選択させて出力させる。
【００６３】
なお、例えば、TVの電源がオンにされた直後は、チューナ部１１を構成する２個のチューナ１１1及び１１2のうちの一方である、例えば、チューナ１１1が視聴用チューナとなり、その視聴用チューナであるチューナ１１1が出力するテレビジョン信号に符号化データが含まれる番組が、視聴番組となる。
【００６４】
ここで、例えば、切り換え用バッファ部１８を構成する切り換え用バッファ１８1ないし１８6の数Nが、上述したように、所定の放送方式である時刻に放送され得る番組の数の最大値（番組最大数）Pに等しいこととすると、図２では、切り換え用バッファ部１８を構成する切り換え用バッファ１８1ないし１８6の数Nが６であるから、番組最大数Pは、６である。
【００６５】
また、例えば、上述したように、１チャンネルのトランスポートストリームに、１個の番組が含まれることとすると、チューナ部１１に供給される放送信号に含まれるチャンネルの数は、番組最大数Pに等しい６チャンネルとなる。
【００６６】
この場合、バックグラウンドチューナは、６チャンネルすべてのテレビジョン信号を時分割で選択（受信）して出力することになる。
【００６７】
すなわち、図２に示したように、チューナ部１１が２個のチューナ１１1及び１１2で構成され、そのうちの１つは視聴用チューナとなるために、バックグラウンドチューナが１個しかない場合には、その１個のバックグラウンドチューナが、６チャンネルすべてのテレビジョン信号を時分割で受信する。
【００６８】
また、例えば、チューナ部１１が３つのチューナで構成される場合には、そのうちの２個がバックグラウンドチューナとなるので、その２個のバックグラウンドチューナそれぞれに、６チャンネルができるだけ均等に割り当てられる。すなわち、２個のバックグラウンドチューナのうちの一方に、６チャンネルのうちの３チャンネルが割り当てられるとともに、他方に、残りの３チャンネルが割り当てられる。そして、各バックグラウンドチューナは、そのバックグラウンドチューナに割り当てられたチャンネルのテレビジョン信号を時分割で受信する。
【００６９】
したがって、チューナ部１１が、チューナ部１１に供給される放送信号に含まれるチャンネルの数（チャンネル総数Ｃ）に１を加えた数のチューナを有する場合、バックグラウンドチューナとなる各チューナには、１チャンネルずつが割り当てられることとなり、結果的に、バックグラウンドチューナは、そのバックグラウンドチューナに割り当てられた１チャンネルのテレビジョン信号を受信し続けることになる。
【００７０】
バッファ制御部３２は、チューナ部１１のバックグラウンドチューナが出力するテレビジョン信号に含まれる番組の符号化データを、番組ごとに、切り換え用バッファ部１８に一時記憶させる。
【００７１】
すなわち、図２では、上述したように、放送信号には、６チャンネルのテレビジョン信号が含まれ、１チャンネルのテレビジョン信号には、１個の番組の符号化データが含まれる。そして、チューナ部１１のバックグラウンドチューナが、６チャンネルのテレビジョン信号を時分割で受信して出力するので、切り換え用バッファ部１８には、６個の番組の符号化データが時分割で供給される。
【００７２】
バッファ制御部３２は、以上のように、チューナ部１１から（復調部１２、誤り訂正部１３、及びデマルチプレクサ部１４を介して）切り換え用バッファ部１８に時分割で供給される６個の番組の符号化データを、切り換え用バッファ部１８を構成する６個の切り換え用バッファ１８1ないし１８6に、それぞれ記憶させる。
【００７３】
すなわち、バッファ制御部３２は、切り換え用バッファ部１８を構成する各切り換え用バッファ１８nに、チューナ部１１から符号化データが時分割で供給される６個の番組のうちのいずれかを割り当て、切り換え用バッファ１８nに、その切り換え用バッファ１８nに割り当てた番組の符号化データを記憶させる。
【００７４】
したがって、切り換え用バッファ部１８では、所定の放送方式で放送されている６個の番組すべての符号化データが一時記憶される。
【００７５】
また、バッファ制御部３２は、ユーザが、番組切り換えの操作を行い、その操作に対応する操作信号としての番組切り換え信号が、操作部１９から制御部２０に供給された場合、番組切り換えの操作によって指定された切り換え先の番組の符号化データを、切り換え用バッファ部１８からデコード部１５に供給させる。
【００７６】
すなわち、上述したように、切り換え用バッファ部１８では、所定の放送方式で放送されている６個の番組すべての符号化データが一時記憶される。バッファ制御部３２は、番組切り換えの操作によって指定された切り換え先の番組の符号化データを記憶している切り換え用バッファ１８nから、その番組の符号化データを、デコード部１５に供給させる。
【００７７】
デコード制御部３３は、操作部１９から制御部２０に操作信号が供給されない限りチューナ部１１から（復調部１２、誤り訂正部１３、及びデマルチプレクサ部１４を介して）デコード部１５に供給される視聴番組のチャンネルのテレビジョン信号、すなわち、視聴用チューナが受信して出力するチャンネルのテレビジョン信号に含まれる番組（視聴番組）の符号化データをデコードするように、デコード部１５を制御している。
【００７８】
そして、デコード制御部３３は、ユーザが、番組切り換えの操作を行い、その操作に対応する操作信号としての番組切り換え信号が、操作部１９から制御部２０に供給された場合、切り換え用バッファ部１８からデコード部１５に供給される番組の符号化データをデコードするように、デコード部１５を制御する。
【００７９】
すなわち、番組切り換えの操作が行われた場合、上述したように、デコード部１５には、番組切り換えの操作によって指定された切り換え先の番組の符号化データを記憶している切り換え用バッファ１８nから、その番組の符号化データが、デコード部１５に供給されるので、その切り換え用バッファ１８nからの番組の符号化データをデコードするように、デコード制御部３３はデコード部１５を制御する。
【００８０】
マルチ表示制御部３４は、切り換え用バッファ部１８を構成する６個の切り換え用バッファ１８1ないし１８6に符号化データが記憶された番組の画像を、表示パネル１７にマルチ画面で表示する場合に、すなわち、例えば、ユーザが、マルチ画面の表示（マルチ表示）を行うように、操作部１９を操作し、その操作に対応する操作信号が操作部１９から制御部２０に供給された場合に、マルチ画面の表示を行うように、表示制御部１６等を制御する。なお、表示制御部１６は、マルチ表示制御部３４の制御に従い、表示パネル１７に、画像を、マルチ画面で表示させる。
【００８１】
次に、図３を参照して、図２の２個のチューナ１１1及び１１2、並びに、６個の切り換え用バッファ１８1ないし１８6の動作について説明する。
【００８２】
なお、図３において、横方向は、時刻を表す。
【００８３】
いま、放送信号に含まれる６チャンネルのテレビジョン信号のうちの、i番目（iチャンネル目）を、チャンネルch#iのテレビジョン信号というとともに、チャンネルch#iのテレビジョン信号に含まれる番組の符号化データを、番組pro#iの符号化データということとする。
【００８４】
さらに、いま、例えば、６チャンネルch#1ないしch#6のテレビジョン信号それぞれに符号化データが含まれる６個の番組pro#1ないしpro#6のうちの、例えば、番組pro#1の画像が、表示パネル１７に表示されており、したがって、番組pro#1が、視聴番組になっていることとする。
【００８５】
さらに、図２のチューナ部１１を構成する２個のチューナ１１1及び１１2のうちの一方である、例えば、チューナ１１1が、視聴用チューナとなっており、他方であるチューナ１１2が、バックグラウンドチューナとなっているとする。
【００８６】
この場合、視聴用チューナとなっているチューナ１１1は、図３に示すように、チューナ制御部３１の制御に従い、放送信号から、視聴番組となっている番組pro#1のチャンネルch#1のテレビジョン信号を受信し、デコード部１５に供給する。デコード部１５は、視聴用チューナとなっているチューナ１１1からのチャンネルch#1のテレビジョン信号に含まれる番組pro#1の符号化データをデコードし、その結果得られる画像データを、表示制御部１６に供給する。表示制御部１６（図２）は、デコード部１５からの画像データを、表示用バッファ１６Ａに書き込み、これにより、表示パネル１７には、番組pro#1の画像が表示される。
【００８７】
一方、バックグラウンドチューナとなっているチューナ１１2は、チューナ制御部３１の制御に従い、図３に示すように、放送信号に含まれる６チャンネルch#1ないしch#6のテレビジョン信号を、時分割で受信し、切り換え用バッファ部１８に供給する。
【００８８】
すなわち、チューナ制御部３１は、１チャンネルのテレビジョン信号を受信（選択）する期間（以下、適宜、スロット期間という）Tを設定し、そのスロット期間Tごとに、６チャンネルch#1ないしch#6のテレビジョン信号のそれぞれを、バックグラウンドチューナとなっているチューナ１１2に時分割で受信させる。
【００８９】
これにより、バックグラウンドチューナとなっているチューナ１１2は、ある時刻t0からスロット期間Tの間、６チャンネルch#1ないしch#6のテレビジョン信号のうちの、例えば、１番目のチャンネルch#1のテレビジョン信号を受信し、切り換え用バッファ部１８に供給する。
【００９０】
さらに、バックグラウンドチューナとなっているチューナ１１2は、時刻t0からスロット期間Tが経過した時刻t0+Tから、スロット期間Tの間、チャンネルch#1の次の２番目のチャンネルch#2のテレビジョン信号を受信し、切り換え用バッファ部１８に供給する。
【００９１】
また、バックグラウンドチューナとなっているチューナ１１2は、時刻t0+Tからスロット期間Tが経過した時刻t0+2Tから、スロット期間Tの間、チャンネルch#2の次の３番目のチャンネルch#3のテレビジョン信号を受信し、切り換え用バッファ部１８に供給する。
【００９２】
そして、バックグラウンドチューナとなっているチューナ１１2は、同様にして、スロット期間Tの間ずつ、チャンネルch#4，ch#5，ch#6のテレビジョン信号を順次受信し、その後、再び、１番目のチャンネルch#1のテレビジョン信号から時分割での受信を繰り返す。
【００９３】
なお、スロット期間Tは、表示時間で0.5秒程度以上（2秒程度以下）分の符号化データを含むテレビジョン信号を受信することができる値に設定される。上述したように、１GOPが１５ピクチャで構成される場合には、スロット期間Tの間に受信されるテレビジョン信号に含まれる符号化データには、１以上のイントラピクチャの符号化データが含まれる。
【００９４】
一方、切り換え用バッファ部１８では、以上のように、バックグラウンドチューナとなっているチューナ１１2が時分割で受信するテレビジョン信号に含まれる符号化データが、バッファ制御部３２の制御に従い、番組ごとに一時記憶される。
【００９５】
すなわち、バッファ制御部３２は、切り換え用バッファ部１８を構成する切り換え用バッファ１８iに、例えば、番組pro#iを割り当て、図３に示すように、バックグラウンドチューナ（いまの場合、チューナ１１2）でスロット期間Tの間に受信されたチャンネルch#iのテレビジョン信号に含まれる番組pro#iの符号化データを記憶させる。
【００９６】
番組切り換えの操作がされない限り、視聴用チューナとなっているチューナ１１1は、放送信号から、視聴番組となっている番組pro#1のチャンネルch#1のテレビジョン信号を受信し、デコード部１５に供給する。また、バックグラウンドチューナとなっているチューナ１１2は、放送信号に含まれる６チャンネルch#1ないしch#6のテレビジョン信号を、時分割で受信し、切り換え用バッファ部１８に供給する。そして、切り換え用バッファ部１８では、切り換え用バッファ１８1ないし１８6において、バックグラウンドチューナとなっているチューナ１１2が時分割で受信したチャンネルch#1ないしch#6のテレビジョン信号に含まれる番組pro#1ないしpro#6の符号化データが、それぞれ記憶される。
【００９７】
次に、図４は、切り換え用バッファ部１８の切り換え用バッファ１８1ないし１８6の記憶内容を示している。
【００９８】
例えば、図３で説明したように、チューナ１１2がバックグラウンドチューナとなっており、切り換え用バッファ１８iに、番組pro#iを割り当てられている場合、切り換え用バッファ１８1ないし１８6において、バックグラウンドチューナとなっているチューナ１１2が時分割で受信したチャンネルch#1ないしch#6のテレビジョン信号に含まれる番組pro#1ないしpro#6の符号化データが、それぞれ記憶される。
【００９９】
なお、図４において、Iはイントラピクチャの符号化データ（画像データをイントラ符号化することにより得られる符号化データ）を表しており、NIはノンイントラピクチャの符号化データ（画像データをインター符号化することにより得られる符号化データ）を表している。
【０１００】
図３で説明したように、バックグラウンドチューナとなっているチューナ１１2が１チャンネルのテレビジョン信号を受信するスロット期間Tは、表示時間で0.5秒程度以上分（1GOP分以上）の符号化データを含むテレビジョン信号を受信することができる値に設定される。これにより、スロット期間Tの間に受信されるテレビジョン信号に含まれる符号化データには、１以上のイントラピクチャIの符号化データが含まれるので、切り換え用バッファ１８iに記憶される符号化データにも、１以上のイントラピクチャIの符号化データが含まれる。
【０１０１】
次に、図５を参照して、番組切り換えの操作が行われた場合の、図２の２個のチューナ１１1及び１１2、並びに、６個の切り換え用バッファ１８1ないし１８6の動作について説明する。
【０１０２】
なお、図５においても、図３と同様に、横方向は、時刻を表す。
【０１０３】
いま、図３の場合と同様に、図２のチューナ部１１を構成する２個のチューナ１１1及び１１2のうちの一方である、例えば、チューナ１１1が、視聴用チューナとなっており、他方であるチューナ１１2が、バックグラウンドチューナとなっているとする。
【０１０４】
この場合、図３で説明したように、視聴用チューナとなっているチューナ１１1は、放送信号から、視聴番組となっている番組pro#1のチャンネルch#1のテレビジョン信号を受信し、デコード部１５に供給する。
【０１０５】
デコード部１５は、視聴用チューナとなっているチューナ１１1からのテレビジョン信号に含まれる番組pro#1の符号化データをデコードし、そのデコードの結果得られる番組pro#1の画像データを、表示制御部１６に供給する。表示制御部１６は、デコード部１５からの番組pro#1の画像データを、表示用バッファ１６Ａに書き込み、これにより、表示パネル１７では、番組pro#1の画像が表示される。
【０１０６】
また、バックグラウンドチューナとなっているチューナ１１2は、放送信号に含まれる６チャンネルch#1ないしch#6のテレビジョン信号を、時分割で受信し、切り換え用バッファ部１８に供給する。そして、切り換え用バッファ部１８では、切り換え用バッファ１８1ないし１８6において、バックグラウンドチューナとなっているチューナ１１2が時分割で受信したチャンネルch#1ないしch#6のテレビジョン信号に含まれる番組pro#1ないしpro#6の符号化データが、それぞれ記憶される。
【０１０７】
いま、例えば、バックグラウンドチューナとなっているチューナ１１2が、あるスロット期間Tにおいて、チャンネルch#5のテレビジョン信号を受信し、そのチャンネルch#5の番組pro#5が割り当てられた切り換え用バッファ１８5に、そのチャンネルch#5のテレビジョン信号に含まれる番組pro#5の符号化データが記憶されている途中の時刻t1で、視聴番組を、番組pro#1から、他の番組である、例えば、番組pro#4に切り換える番組切り換えの操作が行われたとする。
【０１０８】
この場合、バッファ制御部３２は、切り換え用バッファ部１８を制御し、番組切り換えの操作によって指定された切り換え先の番組pro#4の符号化データを、切り換え用バッファ部１８からデコード部１５に供給させる。
【０１０９】
すなわち、いまの場合、番組pro#4の符号化データは、その番組pro#4が割り当てられた切り換え用バッファ１８4に記憶されているので、その切り換え用バッファ１８4に記憶されている番組pro#4の符号化データが、切り換え用バッファ部１８からデコード部１５に供給される。
【０１１０】
ここで、図４で説明したように、切り換え用バッファ１８1ないし１８6それぞれには、１以上のイントラピクチャの符号化データが記憶されている。バッファ制御部３２は、切り換え用バッファ１８1ないし１８6それぞれについて、イントラピクチャの符号化データが記憶されている位置を監視（管理）しており、切り換え用バッファ１８iからデコード部１５への符号化データの供給が、イントラピクチャの符号化データ（複数のイントラピクチャの符号化データが記憶されている場合には、例えば、表示時刻が最も新しいイントラピクチャの符号化データ）から開始されるように、切り換え用バッファ部１８を制御する。
【０１１１】
切り換え用バッファ１８iからデコード部１５への符号化データの供給を、イントラピクチャの符号化データから開始することにより、デコード部１５は、その符号化データのデコードを、即座に開始することができる。
【０１１２】
一方、デコード制御部３３は、番組切り換えの操作が行われると、切り換え用バッファ部１８からデコード部１５に供給される番組の符号化データをデコードするように、デコード部１５を制御する。
【０１１３】
これにより、デコード部１５は、視聴用チューナとなっているチューナ１１1からのテレビジョン信号に含まれる番組pro#1の符号化データに代えて、切り換え用バッファ部１８から供給される番組pro#4の符号化データのデコードを開始し、そのデコードの結果得られる番組pro#4の画像データを、表示制御部１６に供給する。表示制御部１６は、デコード部１５からの番組pro#4の画像データを、表示用バッファ１６Ａに書き込み、これにより、表示パネル１７では、番組pro#1の画像に代えて、番組pro#4の画像が表示される。
【０１１４】
以上のように、バックグラウンドチューナとなっているチューナ１１2に、所定の放送方式の６チャンネルch#1ないしch#6のテレビジョン信号すべてを時分割で受信させて出力させ、その６チャンネルch#1ないしch#6のテレビジョン信号に含まれる番組、すなわち、所定の放送方式で放送されるすべての番組pro#1ないしpro#6の符号化データを、番組ごとに、切り換え用バッファ部１８に記憶させる一方、視聴番組を、番組pro#1から、他の番組である番組pro#4に切り換える番組切り換えの操作が行われた場合に、切り換え用バッファ１８4に既に記憶されている番組pro#4の符号化データが、切り換え用バッファ部１８からデコード部１５に供給されてデコードされるので、番組切り換えの操作が行われた後に、切り換え先の番組pro#4のイントラピクチャの符号化データが送信されてくるのを待たずに、番組pro#4の画像の表示を開始することができる。したがって、番組切り換えの操作が行われた場合に、切り換え先の番組の画像を、迅速に表示することができる。
【０１１５】
以上のように、視聴番組を、番組pro#1から番組pro#4に切り換える番組切り換えの操作が行われ、切り換え用バッファ１８4に記憶された、切り換え先の番組pro#4の符号化データの、デコード部１５への供給、及びデコードが開始されると、チューナ制御部３１は、切り換え先の番組pro#4のテレビジョン信号を時分割で受信していたバックグラウンドチューナであるチューナ１１2を、新たな視聴用チューナとするとともに、他のチューナであるチューナ１１1をバックグラウンドチューナとして、図５に示すように、視聴用チューナであるチューナ１１2に、切り換え先の番組pro#4のテレビジョン信号を受信させるとともに、バックグラウンドチューナであるチューナ１１1に、放送信号に含まれる６チャンネルのテレビジョン信号を時分割で受信させる。
【０１１６】
ここで、チャンネルch#1からch#6の方向に、周波数が高くなっていくこととすると、図５では、バックグラウンドチューナであるチューナ１１1において、切り換え先の番組pro#4のチャンネルch#4の、周波数が高い方に隣接するチャンネルch#5のテレビジョン信号から、時分割での受信が開始されている。
【０１１７】
上述したように、視聴用チューナであるチューナ１１2が、切り換え先の番組pro#4のテレビジョン信号の受信及び出力を開始した後、切り換え用バッファ１８4に記憶された番組pro#4の符号化データに続く符号化データ、又は、番組pro#4のイントラピクチャの符号化データを受信して出力すると、デコード制御部３３は、視聴用チューナであるチューナ１１2が出力する番組pro#4の符号化データをデコードするように、デコード部１５を制御する。
【０１１８】
また、バックグラウンドチューナであるチューナ１１1が、放送信号に含まれる６チャンネルのテレビジョン信号の時分割での受信及び出力を開始すると、バッファ制御部３２は、切り換え用バッファ部１８を構成する切り換え用バッファ１８1ないし１８6それぞれに、番組の割り当てをし直し、バックグラウンドチューナであるチューナ１１1が時分割で出力する６チャンネルのテレビジョン信号に含まれる符号化データのうちの、割り当てがされた番組の符号化データを記憶させる。
【０１１９】
ここで、図５では、番組切り換えの操作がされた後において、切り換え用バッファ１８6に番組pro#5が、切り換え用バッファ１８1に番組pro#6が、切り換え用バッファ１８2に番組pro#1が、切り換え用バッファ１８3に番組pro#2が、切り換え用バッファ１８4に番組pro#3が、切り換え用バッファ１８5に番組pro#4が、それぞれ割り当てられている。
【０１２０】
次に、図６のフローチャートを参照して、図２のチューナ制御部３１によるチューナ部１１の制御の処理（チューナ制御処理）について、さらに説明する。
【０１２１】
例えば、図２のTVの電源がオフからオンにされると、チューナ制御部３１は、ステップＳ１１において、チューナ部１１を制御することにより、チューナ部１１を構成するチューナ１１1及び１１2のうちの１つである、例えば、チューナ１１1を視聴用チューナとして、その視聴用チューナであるチューナ１１1に、前回の電源のオフの直前に、視聴用チューナが受信していたチャンネルのテレビジョン信号を受信させ、処理は、ステップＳ１２に進む。
【０１２２】
視聴用チューナであるチューナ１１1は、チューナ制御部３１の制御に従い、所定のチャンネルのテレビジョン信号を受信（選択）する。視聴用チューナであるチューナ１１1が受信した所定のチャンネルのテレビジョン信号に含まれる番組の符号化データは、（復調部１２、誤り訂正部１３、及びデマルチプレクサ部１４（図１））を介して、デコード部１５に供給される。
【０１２３】
デコード部１５は、視聴用チューナとなっているチューナ１１1からのチャンネルのテレビジョン信号に含まれる番組の符号化データをデコードし、その結果得られる画像データを、表示制御部１６に供給する。表示制御部１６は、デコード部１５からの画像データを、表示用バッファ１６Ａに書き込み、これにより、表示パネル１７には、チューナ１１1が受信しているチャンネルのテレビジョン信号に含まれる番組の画像が表示される。
【０１２４】
ステップＳ１２では、チューナ制御部３１は、チューナ部１１を制御することにより、チューナ部１１を構成するチューナ１１1及び１１2のうちの、視聴用チューナ以外のチューナすべて、つまり、チューナ１１2をバックグラウンドチューナとして、そのバックグラウンドチューナであるチューナ１１2がテレビジョン信号を時分割で受信すべきチャンネルを割り当てる。
【０１２５】
ここで、いまの場合、所定の放送方式のチャンネル数は、上述したように、６チャンネルであり、また、バックグラウンドチューナは、１個のチューナ１１2のみであるため、その１個のチューナ１１2に対して、６チャンネルすべてが、バックグラウンドチューナがテレビジョン信号を時分割で受信すべきチャンネル（以下、適宜、バックグラウンド受信対象のチャンネルという）として割り当てられる。
【０１２６】
さらに、ステップＳ１２では、チューナ制御部３１は、バックグラウンドチューナであるチューナ１１2がバックグラウンド受信対象の各チャンネルを受信するスロット期間Tを設定して、処理は、ステップＳ１３に進む。
【０１２７】
ステップＳ１３では、チューナ制御部３１は、バックグラウンド受信対象のチャンネルとして割り当てられた６チャンネルそれぞれを、スロット期間Tごとに時分割で受信するように、バックグラウンドチューナであるチューナ１１2を制御して、処理は、ステップＳ１４に進む。
【０１２８】
これにより、バックグラウンドチューナであるチューナ１１2は、バックグラウンド受信対象のチャンネルとして割り当てられた６チャンネルそれぞれのテレビジョン信号を、スロット期間Tごとに時分割で受信して出力することを開始する。バックグラウンドチューナであるチューナ１１2が出力する６チャンネルそれぞれのテレビジョン信号に含まれる番組の符号化データは、切り換え用バッファ部１８に供給されて一時記憶される。
【０１２９】
ステップＳ１４では、チューナ制御部３１が、ユーザが番組切り換えの操作を行ったかどうかを判定し、番組切り換えの操作を行っていないと判定した場合、処理は、ステップＳ１４に戻る。
【０１３０】
そして、ステップＳ１４において、ユーザが番組切り換えの操作を行ったと判定された場合、処理は、ステップＳ１５に進み、チューナ制御部３１は、チューナ部１１を制御することにより、チューナ部１１を構成するチューナ１１1及び１１2のうちの、切り換え先の番組のチャンネルが、バックグラウンド受信対象のチャンネルとして割り当てられている方を、新たな視聴用チューナとして、その新たな視聴用チューナに、切り換え先の番組の符号化データを含むチャンネルのテレビジョン信号を受信させる。
【０１３１】
その後、処理は、ステップＳ１５から、ステップＳ１２に戻り、上述したように、視聴用チューナ以外のチューナを新たなバックグラウンドチューナとして、その新たなバックグラウンドチューナに対して、バックグラウンド受信対象のチャンネルが割り当てられ、以下、同様の処理が繰り返される。
【０１３２】
ここで、図６のチューナ制御部３１によるチューナ制御処理は、例えば、TVの電源がオフにされると終了する。
【０１３３】
次に、図７のフローチャートを参照して、図２のバッファ制御部３２による切り換え用バッファ部１８の制御の処理（バッファ制御処理）について、さらに説明する。
【０１３４】
例えば、図２のTVの電源がオフからオンにされると、バッファ制御部３２は、ステップＳ２１において、切り換え用バッファ部１８を構成する切り換え用バッファ１８1ないし１８6それぞれに、チューナ部１１のバックグラウンドチューナから符号化データが時分割で供給される６個の番組のうちのいずれか１個を、一時的に記憶する番組（以下、適宜、一時記憶番組という）として割り当て、処理は、ステップＳ２２に進む。
【０１３５】
ステップＳ２２では、バッファ制御部３２は、切り換え用バッファ部１８を制御することにより、切り換え用バッファ部１８を構成する切り換え用バッファ１８1ないし１８6のそれぞれに、チューナ部１１のバックグラウンドチューナから（時分割で）供給される６チャンネルのテレビジョン信号に含まれる６番組の符号化データのうちの、一時記憶番組として割り当てた番組の符号化データを記憶させて、処理は、ステップＳ２３に進む。
【０１３６】
すなわち、これにより、切り換え用バッファ部１８を構成する切り換え用バッファ１８1ないし１８6それぞれでは、図６のチューナ制御処理によって、バックグラウンドチューナから供給される６チャンネルのテレビジョン信号に含まれる６番組の符号化データのうちの、一時記憶番組として割り当てられた番組の符号化データが記憶される。
【０１３７】
ステップＳ２３では、バッファ制御部３２が、ユーザが番組切り換えの操作を行ったかどうかを判定し、番組切り換えの操作を行っていないと判定した場合、処理は、ステップＳ２３に戻る。
【０１３８】
そして、ステップＳ２３において、ユーザが番組切り換えの操作を行ったと判定された場合、処理は、ステップＳ２４に進み、バッファ制御部３２は、切り換え用バッファ部１８を制御することにより、番組切り換えの操作によって指定された切り換え先の番組の符号化データを、切り換え用バッファ部１８からデコード部１５に供給させる。
【０１３９】
すなわち、上述したように、切り換え用バッファ部１８では、所定の放送方式で放送されている６番組すべての符号化データが一時記憶される。バッファ制御部３２は、番組切り換えの操作によって指定された切り換え先の番組の符号化データを記憶している切り換え用バッファ１８nから、切り換え先の番組の符号化データを、デコード部１５に供給させる。
【０１４０】
なお、番組切り換えの操作によって指定された切り換え先の番組の符号化データを記憶している切り換え用バッファ１８nからデコード部１５への、切り換え先の番組の符号化データの供給は、図４で説明したように、イントラピクチャの符号化データから開始される。
【０１４１】
その後、処理は、ステップＳ２４からステップＳ２１に戻り、バッファ制御部３２は、切り換え用バッファ部１８を構成する切り換え用バッファ１８1ないし１８6それぞれに、チューナ部１１のバックグラウンドチューナから符号化データが時分割で供給される６個の番組のうちのいずれか１個を、一時記憶番組として新たに割り当て、以下、同様の処理が繰り返される。
【０１４２】
すなわち、番組切り換えの操作が行われると、図６のチューナ制御処理において、上述したように、新たなバックグラウンドチューナに対して、バックグラウンド受信対象のチャンネルが割り当てられ、その結果、切り換え用バッファ部１８には、新たなバックグラウンドチューナから、６個の番組の符号化データが時分割で供給されてくるので、処理がステップＳ２４から戻ったステップＳ２１では、そのバックグラウンドチューナから符号化データが時分割で供給される６個の番組のうちのいずれか１個が、一時記憶番組として、切り換え用バッファ１８1ないし１８6それぞれに、新たに割り当てられる。
【０１４３】
ここで、図７のバッファ制御部３２によるバッファ制御処理は、例えば、TVの電源がオフにされると終了する。
【０１４４】
次に、図８のフローチャートを参照して、図２のデコード制御部３３によるデコード部１５の制御の処理（デコード制御処理）について、さらに説明する。
【０１４５】
例えば、図２のTVの電源がオフからオンにされると、デコード制御部３３は、ステップＳ４１において、チューナ部１１を構成するチューナ１１1及び１１2のうちの視聴用チューナが受信して出力するチャンネルのテレビジョン信号に含まれる番組（視聴番組）の符号化データを、デコード対象（デコードの対象）とするように、デコード部１５を制御して、処理は、ステップＳ４２に進む。
【０１４６】
これにより、デコード部１５は、チューナ１１1及び１１2のうちの視聴用チューナからのチャンネルのテレビジョン信号に含まれる視聴番組の符号化データをデコードし、その結果得られる画像データを、表示制御部１６に供給する。表示制御部１６は、デコード部１５からの画像データを、表示用バッファ１６Ａに書き込み、これにより、表示パネル１７には、視聴番組の画像が表示される。
【０１４７】
ステップＳ４２では、デコード制御部３３が、ユーザが番組切り換えの操作を行ったかどうかを判定し、番組切り換えの操作を行っていないと判定した場合、処理は、ステップＳ４２に戻る。
【０１４８】
そして、ステップＳ４２において、ユーザが番組切り換えの操作を行ったと判定された場合、処理は、ステップＳ４３に進み、バッファ制御部３２は、切り換え用バッファ部１８から供給される符号化データ、つまり、番組切り換えの操作によって指定された切り換え先の番組の符号化データを、デコード対象（デコードの対象）とするように、デコード部１５を制御する。
【０１４９】
これにより、デコード部１５は、切り換え用バッファ部１８から供給される切り換え先の番組の符号化データをデコードし、その結果得られる画像データを、表示制御部１６に供給する。表示制御部１６は、デコード部１５からの画像データを、表示用バッファ１６Ａに書き込み、これにより、表示パネル１７には、切り換え先の番組の画像が表示される。
【０１５０】
すなわち、番組切り換えの操作が行われると、図７のバッファ制御処理では、上述したように、番組切り換えの操作によって指定された切り換え先の番組の符号化データが、切り換え用バッファ部１８からデコード部１５に供給される。
【０１５１】
ステップＳ４３では、切り換え用バッファ部１８からデコード部１５に供給される切り換え先の番組の符号化データのデコードを行うように、デコード部１５の制御が行われる。
【０１５２】
その後、処理は、ステップＳ４３からステップＳ４１に戻り、デコード制御部３３は、チューナ部１１を構成するチューナ１１1及び１１2のうちの、新たな視聴用チューナが受信して出力するチャンネルのテレビジョン信号に含まれる番組（視聴番組）の符号化データを、デコード対象とするように、デコード部１５を制御し、以下、同様の処理が繰り返される。
【０１５３】
すなわち、番組切り換えの操作が行われると、図６のチューナ制御処理では、上述したように、チューナ部１１を構成するチューナ１１1及び１１2のうちの、切り換え先の番組のチャンネルが、バックグラウンド受信対象のチャンネルとして割り当てられている方を、新たな視聴用チューナとして、その新たな視聴用チューナが、切り換え先の番組の符号化データを含むチャンネルのテレビジョン信号を受信して出力する。
【０１５４】
デコード制御部３３は、切り換え用バッファ部１８に記憶され、その切り換え用バッファ部１８からデコード部１５に供給される切り換え先の番組の符号化データのデコードを行っているうちに、新たな視聴用チューナが受信してデコード部１５に供給する、切り換え先の番組の、切り換え用バッファ部１８からデコード部１５に供給される（切り換え先の番組の）最後のピクチャの符号化データの続きのピクチャの符号化データからデコードを開始するように、デコード部１５を制御する。
【０１５５】
ここで、新たな視聴用チューナにおいて、切り換え先の番組の、切り換え用バッファ部１８からデコード部１５に供給される最後のピクチャの符号化データの続きのピクチャの符号化データの受信をし損ねている場合には、デコード制御部３３は、新たな視聴用チューナが受信してデコード部１５に供給する、切り換え先の番組のイントラピクチャの符号化データからデコードを開始するように、デコード部１５を制御する。
【０１５６】
また、図８のデコード制御部３３によるデコード制御処理は、例えば、TVの電源がオフにされると終了する。
【０１５７】
以上のように、チューナ制御部３１において、視聴番組のチャンネルのテレビジョン信号（表示パネル１７に表示される画像データを含むチャンネルのテレビジョン信号）を選択している視聴用チューナ以外のチューナを、バックグラウンドチューナとして、バックグラウンドチューナに、所定の放送方式で放送される複数のチャンネルのテレビジョン信号のすべてを時分割で選択させて出力させ、バッファ制御部３２において、バックグラウンドチューナが出力するテレビジョン信号に含まれる番組の符号化データを、番組ごとに切り換え用バッファ部１８に一時記憶させるとともに、番組切り換えの操作が行われた場合、切り換え先の番組の符号化データを、切り換え用バッファ部１８からデコード部１５に供給させ、デコード制御部３３において、番組切り換えの操作が行われた場合、切り換え用バッファ部１８からデコード部１５に供給される切り換え先の番組の符号化データを、デコード部１５にデコードさせるので、番組切り換えの操作が行われた場合に、切り換え先の番組のイントラピクチャの符号化データが送信されてくるのを待たずに、切り換え先の番組の画像を、迅速に表示することができる。
【０１５８】
なお、画像の符号化データの他、音声の符号化データも、画像の符号化データと同様に処理することができる。この場合、番組切り換えの操作が行われた場合に、切り換え先の番組の音声を、迅速に出力することができる。
【０１５９】
また、図６において、処理がステップＳ１５からステップＳ１２に戻ったときに行われる、新たなバックグラウンドチューナに対するバックグラウンド受信対象のチャンネルの割り当てでは、チューナ制御部３１は、新たな視聴用チューナが受信するテレビジョン信号のチャンネル（切り換え先の番組のチャンネル）に隣接するチャンネル（以下、適宜、隣接チャンネルという）を、時分割での受信を開始するときに最初に受信するバックグラウンド受信対象のチャンネルとして割り当てることができる。
【０１６０】
この場合、新たなバックグラウンドチューナでは、隣接チャンネルのテレビジョン信号が、最初に受信されて、切り換え用バッファ部１８に記憶されることとなるので、次の番組切り換えの操作が行われたときに、切り換え先の番組の最新の画像を、即座に、表示パネル１７に表示することが可能となる。
【０１６１】
すなわち、例えば、視聴番組のチャンネルに隣接するチャンネルの番組が、切り換え先の番組とされる番組切り換えの操作が行われる場合には、新たなバックグラウンドチューナにおいて、隣接チャンネルのテレビジョン信号を、最初に受信して、切り換え用バッファ部１８に記憶することで、切り換え先の番組（隣接チャンネルの番組）の最新の画像を、即座に、表示パネル１７に表示することが可能となる。
【０１６２】
また、図２では、チューナ部１１を２個のチューナ１１1及び１１2で構成するようにしたが、チューナ部１１は、３個以上のチューナで構成することができる。チューナ部１１を構成するチューナの数を多くするほど、各チューナに割り当てるバックグラウンド受信対象のチャンネルの数を少なくすることができ、その結果、各チューナにおいて、あるチャンネルのテレビジョン信号の時分割での受信を終了してから、次に、そのチャンネルのテレビジョン信号の時分割での受信を開始するまでの間隔を短くすることができる。この場合、切り換え用バッファ部１８には、各番組の符号化データとして、より新しい符号化データが記憶され、番組切り換えの操作が行われたときに、より新しい画像を表示することができる。
【０１６３】
次に、図２のTVでは、切り換え用バッファ部１８に記憶された各番組の符号化データを用いてマルチ表示（マルチ画面の表示）を行うことができる。
【０１６４】
すなわち、上述したように、図２のマルチ表示制御部３４は、マルチ表示を行うように、操作部１９が操作された場合、マルチ表示を行うように、表示制御部１６等を制御し、これにより、表示制御部１６は、表示パネル１７に、画像を、マルチ画面で表示するマルチ表示を行わせる。
【０１６５】
図９は、マルチ表示を行っている状態の表示パネル１７の表示画面の例を示している。
【０１６６】
マルチ表示では、表示パネル１７の表示画面が、複数の小領域（以下、適宜、マルチ表示エリアという）に区分され、各マルチ表示エリアが、マルチ表示対象（マルチ表示の対象）の番組に割り当てられる。そして、各マルチ表示エリアにおいて、そのマルチ表示エリアに割り当てられた番組の画像が表示される。
【０１６７】
ここで、図９では、表示パネル１７の表示画面が、横×縦が３×３個の、合計で９個のマルチ表示エリアに区分されており、したがって、最大で、９番組の画像をマルチ表示することができる。
【０１６８】
マルチ表示では、９個のマルチ表示エリアのそれぞれに対して、切り換え用バッファ部１８に符号化データが記憶された番組のいずれかが、マルチ表示対象の番組として割り当てられる。
【０１６９】
したがって、図２に示したように、切り換え用バッファ部１８が、マルチ表示エリアの数である９より少ない６個の切り換え用バッファ１８1ないし１８6で構成される場合には、その６個の切り換え用バッファ１８1ないし１８6に符号化データが記憶された６番組に、９個のマルチ表示エリアのうちの６個がそれぞれ割り当てられ、その６個のマルチ表示エリアにおいて、各マルチ表示エリアが割り当てられた番組の画像が表示される。この場合、９個のマルチ表示エリアのうちの、番組に割り当てられなかったマルチ表示エリアには、例えば、特に画像は表示されない。
【０１７０】
なお、切り換え用バッファ部１８が、マルチ表示エリアの数である９より多い数の切り換え用バッファで構成される場合には、その切り換え用バッファに符号化データが記憶された番組の中から、例えば、マルチ表示エリアの数だけの番組が、マルチ表示対象の番組として選択され、そのマルチ表示対象の番組に、マルチ表示エリアが割り当てられる。
【０１７１】
また、マルチ表示エリアの数は、例えば、ユーザが操作部１９を操作することにより設定することができる。その他、マルチ表示エリアの数は、例えば、切り換え用バッファ部１８を構成する切り換え用バッファの数に設定することができる。
【０１７２】
次に、図１０のフローチャートを参照して、図２のマルチ表示制御部３４によるマルチ表示の制御の処理（マルチ表示制御処理）について説明する。
【０１７３】
なお、図１０では、マルチ表示エリアの数（総数）を、マルチ画面表示数Nmといい、マルチ表示を行うときに、所定の放送方式で放送されている番組の総数（番組最大数P）を、全番組数Nallという。全番組数Nallは、例えば、EPGから認識することができる。
【０１７４】
例えば、ユーザが、マルチ表示を行うように、操作部１９を操作すると、マルチ表示制御部３４は、ステップＳ５１において、全番組数Nallが、マルチ画面表示数Nmよりも大であるかどうかを判定する。
【０１７５】
ステップＳ５１において、全番組数Nallが、マルチ画面表示数Nmよりも大でないと判定された場合、処理は、ステップＳ５２に進み、マルチ表示制御部３４は、全番組数Nallだけの番組すべて、ひいては、切り換え用バッファ部１８に符号化データが記憶されている番組のすべてを、マルチ表示対象の番組に設定して、処理は、ステップＳ５４に進む。
【０１７６】
また、ステップＳ５１において、全番組数Nallが、マルチ画面表示数Nmよりも大であると判定された場合、処理は、ステップＳ５３に進み、マルチ表示制御部３４は、全番組数Nallだけの番組、ひいては、切り換え用バッファ部１８に符号化データが記憶されている番組のうちの、マルチ画面表示数Nmに等しい数だけの番組を選択して、その番組だけを、マルチ表示対象の番組に設定して、処理は、ステップＳ５４に進む。
【０１７７】
ステップＳ５４では、ステップＳ５２又はＳ５３でマルチ表示対象の番組に設定された番組の数を、Nd（≦Nm）とすると、マルチ表示制御部３４は、Nd個のマルチ表示対象の番組のそれぞれに、マルチ画面表示数Nmのマルチ表示エリアを１つずつ割り当て、処理は、ステップＳ５５に進む。
【０１７８】
ステップＳ５５では、マルチ表示制御部３４が、マルチ表示対象の番組をカウントするための変数nに、初期値としての、例えば1をセットして、処理は、ステップＳ５６に進む。
【０１７９】
ステップＳ５６では、マルチ表示制御部３４は、Nd個のマルチ表示対象の番組のうちのn番目の番組の符号化データの１ピクチャ分を、切り換え用バッファ部１８からデコード部１５に供給するように、切り換え用バッファ部１８を制御して、処理は、ステップＳ５７に進む。これにより、ステップＳ５６では、切り換え用バッファ部１８からデコード部１５に対して、n番目のマルチ表示対象の番組の１ピクチャ分の符号化データが供給される。
【０１８０】
ステップＳ５７では、マルチ表示制御部３４は、切り換え用バッファ部１８からデコード部１５に供給される、n番目のマルチ表示対象の番組の１ピクチャ分の符号化データをデコードするように、デコード部１５を制御して、処理は、ステップＳ５８に進む。これにより、ステップＳ５７では、デコード部１５において、切り換え用バッファ部１８からのn番目のマルチ表示対象の番組の１ピクチャ分の符号化データをデコード対象として、デコードが行われ、その結果得られる、n番目のマルチ表示対象の番組の１ピクチャ分の画像データが、表示制御部１６に供給される。
【０１８１】
ステップＳ５８では、マルチ表示制御部３４は、デコード部１５から表示制御部１６に供給されるn番目のマルチ表示対象の番組の１ピクチャ分の画像データをリサイズし、そのリサイズ後の画像データを、表示用バッファ１６Ａに書き込むように、表示制御部１６を制御して、処理は、ステップＳ５９に進む。
【０１８２】
これにより、ステップＳ５８では、表示制御部１６が、デコード部１５からのn番目のマルチ表示対象の番組の画像データを、マルチ表示エリアのサイズの画像データにリサイズし、そのリサイズ後の画像データを、表示用バッファ１６Ａの、n番目のマルチ表示対象の番組に割り当てられたマルチ表示エリアに対応する記憶領域に書き込む。そして、表示パネル１７では、表示用バッファ１６Ａの記憶内容に対応する画像が表示される。
【０１８３】
ステップＳ５９では、マルチ表示制御部３４が、変数nがマルチ表示対象の番組に設定された番組の数Ndに等しいかどうかを判定する。ステップＳ５９において、変数nがマルチ表示対象の番組に設定された番組の数Ndに等しいと判定された場合、すなわち、Nd個のマルチ表示対象の番組の画像が、１ピクチャ分ずつマルチ表示された場合、処理は、ステップＳ５５に戻り、以下、同様の処理が繰り返される。これにより、Nd個のマルチ表示対象の番組の画像それぞれの、次の１ピクチャ分がマルチ表示される。
【０１８４】
一方、ステップＳ５９において、変数nがマルチ表示対象の番組に設定された番組の数Ndに等しくないと判定された場合、処理は、ステップＳ６０に進み、マルチ表示制御部３４は、変数nを１だけインクリメントして、処理は、ステップＳ５６に戻り、以下、同様の処理が繰り返される。
【０１８５】
ステップＳ５６ないしＳ５８の処理が、Nd回だけ繰り返されることにより、表示パネル１７では、Nd個のマルチ表示対象の番組の１ピクチャが、マルチ画面表示数NmのうちのNd個のマルチ表示対象の番組が割り当てられたマルチ表示エリアに、それぞれ表示される（マルチ表示される）。
【０１８６】
以上のように、表示制御部１６が、マルチ表示制御部３４の制御に従い、切り換え用バッファ部１８に符号化データが記憶された複数の番組のうちの、２以上のNd個の番組を、マルチ表示対象の番組として、そのマルチ表示対象の番組の符号化データをデコードして得られる画像（以下、適宜、復号画像ともいう）を、表示パネル１７のマルチ表示エリアに表示させる場合には、各マルチ表示エリアに、マルチ表示対象の番組の画像として、動画を表示したマルチ画面（以下、適宜、動画マルチ画面という）を実現することができる。
【０１８７】
そして、動画マルチ画面を、例えば、EPGに適用することにより、マルチ表示エリアに表示された番組の動画を指定した場合に、その番組に、視聴番組を切り換えるようなEPGを提供することが可能となる。
【０１８８】
また、スロット期間Tをある程度長く設定することにより、動画マルチ画面の各マルチ表示エリアに動画が表示される時間をある程度長くして、各マルチ表示エリアに表示される動画を、いわば、動画サムネイルとして利用することができる。
【０１８９】
ところで、デコード部１５が、例えば、１ピクチャの表示の期間（例えば、１／３０秒）に、１ピクチャ分の符号化データを復号画像にデコードする機能を有することとすると、Nd個の番組が、マルチ表示対象の番組である場合には、動画マルチ画面の１つのマルチ表示エリアにおいて、あるピクチャの復号画像から別（次）のピクチャの復号画像に変化する（更新される）のに、Ndピクチャの表示の期間だけの時間がかかる。
【０１９０】
したがって、マルチ表示対象の番組の数Ndが多くなると、動画マルチ画面の各マルチ表示エリアにおいて、滑らかな動きの動画を表示することが困難となる。
【０１９１】
そこで、マルチ表示では、デコード部１５において、符号化データのうちのすべてではなく、低周波数成分のみをデコードすることによって、動画マルチ画面において、滑らかな動きの動画を表示するようにすることができる。
【０１９２】
すなわち、MPEG方式では、画像データは、横×縦が８×８画素あるいは４×４画素のブロックごとにDCT(Discrete Cosine Transform)などの周波数領域へ変換する処理がされ、DCT係数と呼ばれる周波数成分とされる。デコード部１５では、その周波数成分であるDCT係数のすべてではなく、低域（低周波数成分）のDCT係数だけをデコードすることができる。
【０１９３】
図１１を参照して、低域のDCT係数だけをデコードするデコード部１５の処理について説明する。
【０１９４】
図１１上は、横×縦が８×８個のDCT係数のブロックと、８×８画素のブロックとを示している。
【０１９５】
８×８画素のブロックをDCT処理すると、８×８個のDCT係数のブロックが得られる。そして、８×８個のDCT係数のブロックを逆DCT処理すると、図１１上に点線で示すように、８×８画素のブロックが得られる。
【０１９６】
デコード部１５では、８×８個のDCT係数のブロックのうちの、低域のDCT係数である、例えば、図１１上において斜線を付して示す左上の４×４個のDCT係数だけを逆DCT処理することができる。この場合、逆DCT処理によって、８×８画素のブロックを平滑化したような４×４画素のブロックが得られる。
【０１９７】
図１１下は、８×８個のDCT係数のブロックすべてを逆DCT処理した場合に得られる復号画像と、８×８個のDCT係数のブロックのうちの低域の４×４個のDCT係数だけを逆DCT処理した場合に得られる復号画像とを示している。
【０１９８】
いま、８×８個のDCT係数のブロックすべてを逆DCT処理した場合に、図１１下に点線で示すように、横×縦が１９２０×１０８０画素の復号画像が得られるとすると、８×８個のDCT係数のブロックのうちの低域の４×４個のDCT係数だけを逆DCT処理した場合には、図１１下に実線で示すように、横×縦の画素数それぞれが１／２の９６０×５４０画素の復号画像が得られる。
【０１９９】
したがって、低域の４×４個のDCT係数だけを逆DCT処理する場合には、復号画像の解像度は、８×８個のDCT係数のブロックすべてを逆DCT処理する場合に比較して劣化する。しかしながら、マルチ表示では、復号画像は、表示パネル１７の表示画面を区分した小領域であるマルチ表示エリアに表示されるため、復号画像の解像度の劣化は問題とならない。
【０２００】
以上のように、デコード部１５において、低域のDCT係数だけをデコードする場合には、すべてのDCT係数をデコードする場合に比較して、デコードに要する負荷が軽減される。
【０２０１】
また、MPEG方式のデータのデコードは、DCT演算だけでなく、動き補償などの時間方向予測や空間方向のでブロッキングフィルタなどは低域のDCT係数をデコードした後にDCT全域のデコードに相当する画素精度への換算を行ったうえで実行される。したがって、デコード部１５では、１ピクチャ分の符号化データのデコードをすべてのDCT係数をデコードする通常のピクチャデコードの方式に比べ、短時間で行うことができ、このことは、動画マルチ画面において、チャンネルバッファのデータに対する演算リソース確保がより高速でできうることにつながり、結果として、滑らかな動きの動画を表示することが可能となる。
【０２０２】
以上、本発明を、TVに適用した場合について説明したが、本発明は、TVの他、例えば、表示パネル１７を有しない録画装置（レコーダ）等の、複数のチャンネルのテレビジョン信号を含む信号を処理する信号処理装置に適用可能である。
【０２０３】
なお、図１において、復調部１２、誤り訂正部１３、デマルチプレクサ部１４、及びデコード部１５は、（専用の）ハードウェアによって構成することもできるし、例えば、プログラムを実行するDSP(Digital Signal Processor)等のプロセッサ（コンピュータ）によって構成することもできる。
【０２０４】
また、切り換え用バッファ部１８を構成する切り換え用バッファ１８1ないし１８Nの数Nは、番組最大数P未満であってもよい。但し、その場合、切り換え用バッファ部１８において、符号化データを記憶することができない番組と、記憶することができる番組とが生じ、切り換え先の番組が、切り換え用バッファ部１８に符号化データが記憶されている番組であるときに、その切り換え先の番組の画像を、迅速に表示することができる。
【０２０５】
ここで、本明細書において、コンピュータ（図１のCPU２２）に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２０６】
また、プログラムは、１のコンピュータにより処理されるものであっても良いし、複数のコンピュータによって分散処理されるものであっても良い。
【０２０７】
なお、本発明の実施の形態は、上述した実施の形態に限定されるものではなく、本発明の要旨を逸脱しない範囲において種々の変更が可能である。
【図面の簡単な説明】
【０２０８】
【図１】本発明を適用したTVの一実施の形態の構成例を示すブロック図である。
【図２】２個のチューナ１１1及び１１2、並びに、６個の切り換え用バッファ１８1ないし１８6を有するTVの構成例を示すブロック図である。
【図３】チューナ１１1及び１１2、並びに、切り換え用バッファ１８1ないし１８6の動作を説明するタイミングチャートである。
【図４】切り換え用バッファ部１８の切り換え用バッファ１８1ないし１８6の記憶内容を示す図である。
【図５】番組切り換えの操作が行われた場合のチューナ１１1及び１１2、並びに、切り換え用バッファ１８1ないし１８6の動作を説明するタイミングチャートである。
【図６】チューナ制御処理を説明するフローチャートである。
【図７】バッファ制御処理を説明するフローチャートである。
【図８】デコード制御処理を説明するフローチャートである。
【図９】マルチ表示の状態の表示パネル１７の表示画面の例を示す図である。
【図１０】マルチ表示制御処理を説明するフローチャートである。
【図１１】低域のDCT係数だけをデコードするデコード部１５の処理を説明する図である。
【符号の説明】
【０２０９】
１１  チューナ部，  １１1ないし１１M  チューナ，  １２  復調部，  １３  誤り訂正部，  １４  デマルチプレクサ部，  １５  デコード部，  １６  表示制御部，  １６Ａ  表示用バッファ，  １７  表示パネル，  １８  切り換え用バッファ部，  １８1ないし１８N  切り換え用バッファ，  １９  操作部，  ２０  制御部，  ２１  EEPROM，  ２２  CPU，  ２３  RAM，  ３１  チューナ制御部，  ３２  バッファ制御部，  ３３  デコード制御部，  ３４  マルチ表示制御部
【図１】
2009071470.tif 000003
【図２】
2009071470.tif 000004
【図３】
2009071470.tif 000005
【図４】
2009071470.tif 000006
【図５】
2009071470.tif 000007
【図６】
2009071470.tif 000008
【図７】
2009071470.tif 000009
【図８】
2009071470.tif 000010
【図９】
2009071470.tif 000011
【図１０】
2009071470.tif 000012
【図１１】
2009071470.tif 000013